(57)【特許請求の範囲】
【請求項１】
有機溶剤を含む液体媒体中に溶解したジシアンジアミドを含む、農業用途での使用のための組成物であって、前記有機溶剤が、
ａ）式（Ｉａ）：
0006409000.tif 000008
（式中、Ｒ６およびＲ７は個別に、水素、アルキル基、アルケニル基、またはフェニル基を含み、ｎは、１〜１０の整数である）
の少なくとも１つのジオキソラン化合物；
ｂ）ジメチルスルホキシド；または
ｃ）それらの任意の組み合わせ
を含む、組成物。
【請求項２】
ジシアンジアミドとアルキルチオリン酸トリアミドの組み合わせを含む、請求項１に記載の組成物。
【請求項３】
前記アルキルチオリン酸トリアミドがＮ−（ｎ−ブチル）−チオリン酸トリアミドである、請求項２に記載の組成物。
【請求項４】
前記有機溶剤がジメチルスルホキシドである、請求項１に記載の組成物。
【請求項５】
１つまたはは複数の窒素肥料化合物を、ジシアンジアミドを含む阻害剤組成物であって、有機溶剤を含む液体媒体中に溶解している阻害剤組成物で処理する工程を含み、前記有機溶剤が、
ａ）式（Ｉａ）：
0006409000.tif 000009
（式中、Ｒ６およびＲ７は個別に、水素、アルキル基、アルケニル基またはフェニル基を含み、ｎは、１〜１０の整数である）
の少なくとも１つのジオキソラン化合物；
ｂ）ジメチルスルホキシド；または
ｃ）それらの任意の組み合わせ
を含む、固体のまたは濃厚な液肥組成物の製造方法。
【請求項６】
前記阻害剤組成物がジシアンジアミドとアルキルチオリン酸トリアミドの組み合わせを含む、請求項５に記載の方法。
【請求項７】
前記アルキルチオリン酸トリアミドがＮ−（ｎ−ブチル）−チオリン酸トリアミドである、請求項６に記載の方法。
【請求項８】
前記有機溶剤がジメチルスルホキシドである、請求項５に記載の方法。
【請求項９】
組成物の１００重量部を基準として：
（ａ）最大で９９重量部の１つまたは複数の窒素肥料化合物、
（ｂ）ジシアンジアミド、
（ｃ）有機溶剤、および
（ｄ）水
を含む、濃厚な液肥組成物であって、
前記有機溶剤が、
ａ）式（Ｉａ）：
0006409000.tif 000010
（式中、Ｒ６およびＲ７は個別に、水素、アルキル基、アルケニル基、またはフェニル基を含み、ｎは、１〜１０の整数である）
の少なくとも１つのジオキソラン化合物；
ｂ）ジメチルスルホキシド；または
ｃ）それらの任意の組み合わせ
を含む、組成物。
【請求項１０】
ジシアンジアミドとアルキルチオリン酸トリアミドの組み合わせを含む、請求項９に記載の液肥組成物。
【請求項１１】
水性最終使用肥料組成物の製造方法であって、
（ａ）１つまたは複数の窒素肥料化合物、および
（ｂ）ジシアンジアミドを含む阻害剤組成物であって、有機溶剤を含む液体媒体中に溶解している、阻害剤組成物
を水性媒体中に組み入れる工程を含み、
前記有機溶剤が、
ａ）式（Ｉａ）：
0006409000.tif 000011
（式中、Ｒ６およびＲ７は個別に、水素、アルキル基、アルケニル基またはフェニル基を含み、ｎは、１〜１０の整数である）
の少なくとも１つのジオキソラン化合物；
ｂ）ジメチルスルホキシド；または
ｃ）それらの任意の組み合わせ
を含む、方法。
【請求項１２】
前記阻害剤組成物がジシアンジアミドとアルキルチオリン酸トリアミドの組み合わせを含む、請求項１１に記載の方法。
【請求項１３】
組成物の１００重量部を基準として：
（ａ）最大９９重量部の１つまたは複数の窒素肥料化合物と、
（ｂ）ジシアンジアミドと、
（ｃ）有機溶剤と、
（ｄ）水と
を含み、前記有機溶剤が、
ａ）式（Ｉａ）：
0006409000.tif 000012
（式中、Ｒ６およびＲ７は個別に、水素、アルキル基、アルケニル基またはフェニル基を含み、ｎは、１〜１０の整数である）
の少なくとも１つのジオキソラン化合物；
ｂ）ジメチルスルホキシド；または
ｃ）それらの任意の組み合わせ
を含む、水性最終使用肥料組成物。
【請求項１４】
ジシアンジアミドとアルキルチオリン酸トリアミドの組み合わせを含む、請求項１３に記載の組成物。
【請求項１５】
標的植物の施肥方法であって、
（ａ）１つまたは複数の窒素肥料化合物、
（ｂ）ジシアンジアミド、
（ｃ）ジメチルスルホキシド、構造（ＩＩＩ）：
0006409000.tif 000013
に従った複素環アルコール、およびそれらの混合物から選択される有機溶剤、ならびに
（ｄ）水
を含む水性最終使用肥料組成物を、標的植物にまたは前記標的植物のための環境に適用する工程を含む、方法。
【請求項１６】
水性最終使用肥料組成物がジシアンジアミドとアルキルチオリン酸トリアミドの組み合わせを含む、請求項１５に記載の方法。
【発明の詳細な説明】
【技術分野】
【０００１】
関連出願の相互参照
本出願は、その全体を参照により本明細書に援用される、２０１２年１２月２０日出願の米国仮特許出願第６１／７３９，８６９号の優先権を主張するものであり、その全体を参照により本明細書に援用される、２０１３年６月１３日出願の米国仮特許出願第６１／８３４，５４４号の優先権を主張するものである。
【０００２】
本発明は、ジシアンジアミドおよび／またはアルキルチオリン酸トリアミドを含む液体組成物、農業肥料組成物へのジシアンジアミドの組み入れ方法、ジシアンジアミドおよび／またはアルキルチオリン酸トリアミドを含む農業肥料組成物、ならびにそのような組成物の使用に関する。
【背景技術】
【０００３】
農薬産業において、農夫は、土壌への適用か植物の葉への適用かのどちらかによって主要栄養素を植物に付与するために様々な肥料を使用している。窒素、リン、カリウム、カルシウム、マグネシウム、および硫黄は、農夫によって手作業で植物および土壌に供給されなければならない主要栄養素である。多くの作物において、供給される窒素の量は、作物の全体品質および成長にとって決定的に重要である。窒素は典型的には、尿素、硝安、またはリン酸アンモニウム肥料化合物などの、窒素性、すなわち窒素前駆体含有肥料化合物の形態で供給される。しかし、これらの塩の高い水溶性のために、適用された窒素値は、窒素肥料化合物の流出および浸出により失われ得る。いったん適用されると、窒素肥料化合物は典型的には、肥料化合物それら自体よりも蒸発、流出、および浸出によってさらに容易に失われ得る、ＮＨ４＋、ＮＯ２−、ＮＯ３−、およびアンモニアガスなどの窒素化学種に、土壌中に存在する微生物によって、例えば、分解される。肥料化合物の分解が、植物によって窒素分解生成物が利用され得るよりも速い速度で起こる場合には、分解生成物における窒素値が失われるというリスクが増大する。
【０００４】
硝化および／またはウレアーゼ阻害剤は、肥料化合物の分解を遅らせ、それによって、阻害剤の不在下ではさもなければ起こるであろう窒素分解生成物の損失を減らすのに潜在的に役に立つ。窒素肥料化合物と組み合わせた硝化および／またはウレアーゼ阻害剤の使用は、窒素源が土壌中に残存し、植物による吸収のために利用可能なままである時間を増加させる傾向があり、それは、肥料の有効性を増加させ、作物収量および品質にプラスの影響を与える傾向がある。
【０００５】
水性最終使用肥料溶液は典型的には、商業的に入手可能な濃厚な肥料組成物を水で希釈することによって現場で調製される。一般に使用される濃厚な肥料組成物としては、例えば、ＵＡＮ  １８、ＵＡＮ  ２８、ＵＡＮ  ３０およびＵＡＮ  ３２などの、濃厚な硝安組成物が挙げられる。
【０００６】
ジシアンジアミドは潜在的に、そのような水性最終使用肥料組成物において硝化阻害剤として有用であるが、水への非常に低い溶解度（１リットル当たり約４１グラム（「ｇ／ｌ」））を有し、そのため特に現場条件下で、水性最終使用肥料組成物中へ組み入れるのは困難である。
【発明の概要】
【課題を解決するための手段】
【０００７】
ウレアーゼ阻害剤は、アンモニアガスへのアンモニウムの変換を遅くし、こうして揮発へのアンモニアの損失を遅くし、このようにしてより長い期間土壌中でアンモニウムを植物に利用可能にするために、肥料で使用する（すなわち、尿素含有肥料、例えば、尿素および尿素硝安（ＵＡＮ）中へ組み入れる）ことができる。硝化阻害剤は、硝酸塩へのアンモニウム変換のプロセス、およびその後浸出への硝酸塩の損失を遅くし、このようにしてより長い期間土壌中でアンモニウムを植物に利用可能にするために、肥料で使用する（すなわち、尿素含有肥料、例えば、尿素および尿素硝安（ＵＡＮ）中へ組み入れる）ことができる。アンモニウムは、植物によって利用され得る窒素の主要な形態の一つである。窒素が植物に利用可能である時間を増やすと、作物収量および品質にプラスの影響を与える肥料の有効性を増加させる。
【０００８】
肥料は、一実施形態では、リン系、窒素系、カリウム系または硫黄系肥料などの、栄養素を提供する一般的な水溶性無機肥料である。そのような肥料の例としては：栄養素としての窒素については：例えばＵｒａｍ型物質のような尿素と組み合わせて、硝酸カルシウムアンモニウムを含む、硝安、硫酸硝酸アンモニウム、リン酸アンモニウム、特にリン酸一アンモニウム、リン酸二アンモニウムおよびポリリン酸アンモニウム、硫安、ならびに一般に使用されることが少ない硝酸カルシウム、硝酸ナトリウム、硝酸カリウムおよび塩化アンモニウムなどの硝酸塩およびまたはアンモニウム塩が挙げられる。肥料組成物が本明細書に記載される肥料の１つまたは組み合わせを含み得ることが理解される。
【０００９】
しかし、典型的なウレアーゼ阻害剤、ＮＢＰＴ（Ｎ−（ｎ−ブチル）−チオリン酸トリアミド）は、ＮＢＰＴとしてのその使用で欠点に直面し、対処するのが極めて困難である。ＮＢＰＴは、粘着性の、ろう様の、熱および水に敏感な物質であり、それは、尿素小球（すなわち、大きい顆粒）上におよび土壌中に均一に分配することを困難にする低い濃度で使用されるので、その固体形態で使用することができない。尿素上へＮＢＰＴを均一に分配するために、ＮＢＰＴは、尿素上へ噴霧される前にキャリア中へ分散させられるべきである。このようにして、その液体形態で、溶剤系は、顆粒尿素（例えば、尿素小球）中へおよび尿素を含有する液肥中へＮＢＰＴを分散させることができるので、ＮＢＰＴを含有する溶剤系の使用が望ましい。溶剤系で尿素を含有する液肥（例えば、尿素−硝安溶液つまりＵＡＮ）にＮＢＰＴを導入することによって、ＮＢＰＴは、液肥中により良好に分散させることができる。
【００１０】
ジシアンジアミドは、水性農業用途、例えば、最終使用肥料組成物において硝化阻害剤として有用であるが、ウレアーゼ阻害剤と同様に類似の欠点に直面する。ジシアンジアミドなどの、硝化阻害剤は一般に、水への非常に低い溶解度（１リットル当たり約４１グラム（「ｇ／ｌ」））を有し、そのため、特に現場条件下で、水性最終使用肥料組成物中へ組み入れるのは困難である。ジシアンジアミドなどの、硝化阻害剤は一般に、低い溶解度を有するので、それらは、尿素含有小球（すなわち、大きい顆粒）上におよび土壌中に均一に分配するのを困難にする低い水中濃度で使用される。ジシアンジアミドを尿素含有小球つまり顆粒上へ均一に分配するために、ジシアンジアミドは、尿素上へ噴霧される前に溶剤中へ分散させられるべきである。このように、その液体形態で、溶剤系は、尿素顆粒つまり小球、尿素硝安顆粒つまり小球または、さもなければ、尿素含有顆粒つまり小球上へ、および尿素または尿素硝安を含有する液肥中へジシアンジアミドを分配することができるので、ジシアンジアミド（本明細書では、「ＤＣＤ」とも称される）を含有する溶剤系の使用が望ましい。溶剤系で尿素を含有する液肥（例えば、尿素−硝安溶液つまりＵＡＮ）にジシアンジアミドを導入することによって、ジシアンジアミドは、液肥中により良好に分配することができる。
【００１１】
一実施形態では、濃厚な肥料組成物としては、例えば、ＵＡＮ  １８、ＵＡＮ  ２８、ＵＡＮ  ３０およびＵＡＮ  ３２などの、濃厚な硝安組成物が挙げられる。
【００１２】
したがって、低揮発性、生分解性もしくは易生分解性（すなわち、容易に生分解可能な）、低毒性または低ハザードレベルの観点から有利な毒性学的および／または生態学的プロフィールと望ましい特性とを有する、アルキルチオリン酸トリアミド、特に、（Ｎ−（ｎ−ブチル）−チオリン酸トリアミド）を含有する溶剤系を有することが望ましい。低揮発性、生分解性もしくは易生分解性（すなわち、容易に生分解可能な）、低毒性または低ハザードレベルの観点から有利な毒性学的および／または生態学的プロフィールと望ましい特性とを有する、ジシアンジアミドを含有する溶剤系を有することが望ましい。低揮発性、生分解性もしくは易生分解性（すなわち、容易に生分解可能な）、低毒性または低ハザードレベルの観点から有利な毒性学的および／または生態学的プロフィールと望ましい特性とを有する、ジシアンジアミドとアルキルチオリン酸トリアミド、特に、（Ｎ−（ｎ−ブチル）−チオリン酸トリアミド）との組み合わせを含有する溶剤系を有することがまた望ましい。
【００１３】
極性の非プロトン性溶剤、アミン溶剤、複素環アルコール溶剤、およびそれらの混合物から選択される有機溶剤を含む液体媒体中に溶解した、ジシアンジアミドまたはアルキルチオリン酸トリアミドの少なくとも１つを含む農業用途で使用するための組成物を、一態様では含む、本明細書に記載される本発明は、以下の詳細な説明および実施例から明らかになるであろう。
【００１４】
別の態様では、１つもしくは複数の窒素肥料化合物を、ジシアンジアミドまたはアルキルチオリン酸トリアミドの少なくとも１つを含む阻害剤組成物で処理する工程を含む固体のまたは濃厚な液肥組成物の製造方法が本明細書に記載される。阻害剤組成物は、一実施形態では、極性の非プロトン性溶剤、アミン溶剤、複素環アルコール溶剤、およびそれらの混合物から選択される有機溶剤を含む液体媒体中に溶解する。用語「処理すること」は、一実施形態では、阻害剤組成物を、１つもしくは複数の窒素肥料化合物で噴霧適用することを含む。用語「処理すること」は、一実施形態では、阻害剤組成物を、１つもしくは複数の窒素肥料化合物と噴霧接触させることを含む。
【００１５】
さらに別の態様では、組成物の重量を基準として：（ａ）組成物の重量で、約９９重量％以下の１つもしくは複数の窒素肥料化合物と、（ｂ）ジシアンジアミドまたはアルキルチオリン酸トリアミドの少なくとも１つと、（ｃ）極性の非プロトン性溶剤、アミン溶剤、複素環アルコール溶剤、およびそれらの混合物から選択される有機溶剤と、（ｄ）水とを含む濃厚な液肥組成物が本明細書に記載される。
【００１６】
さらに別の態様では、（ａ）１つもしくは複数の窒素肥料化合物の固体粒子と、（ｂ）固体粒子の少なくとも一部分上に担持されたジシアンジアミドまたはアルキルチオリン酸トリアミドの少なくとも１つを含む阻害剤組成物と
を含む固体のまたは実質的の固体の肥料組成物が本明細書に記載される。
【００１７】
別の態様では、（ａ）１つもしくは複数の窒素肥料化合物と、（ｂ）ジシアンジアミドまたはアルキルチオリン酸トリアミドの少なくとも１つを含む阻害剤組成物であって、極性の非プロトン性溶剤、アミン溶剤、複素環アルコール溶剤、およびそれらの混合物から選択される有機溶剤を含む液体媒体中に溶解している阻害剤組成物とを、水性媒体中に組み入れる工程を含む水性最終使用肥料組成物の製造方法が本明細書に記載される。
【００１８】
別の態様では、組成物の重量を基準として：（ａ）組成物の重量を基準として、約９９重量％以下の１つもしくは複数の窒素肥料化合物と、（ｂ）ジシアンジアミドまたはアルキルチオリン酸トリアミドの少なくとも１つと、（ｃ）極性の非プロトン性溶剤、アミン溶剤、複素環アルコール溶剤、およびそれらの混合物から選択される有機溶剤と、（ｄ）任意選択的に、水とを含む水性最終使用肥料組成物が本明細書に記載される。
【００１９】
別の態様では、（ａ）１つもしくは複数の窒素肥料化合物と、（ｂ）ジシアンジアミドまたはアルキルチオリン酸トリアミド少なくとも１つと、（ｃ）ジメチルスルホキシド、ジメチルホルムアミド、コハク酸のジメチルエステル、エチルコハク酸のジメチルエステル、グルタル酸のジメチルエステル、メチルグルタル酸のジメチルエステル、およびアジピン酸のジメチルエステル、ジエチレントリアミン、またはモノエタノールアミン、５−（ジメチルアミノ）−２−メチル−オキソペンタン酸メチル、ジメチルアミノエタノール、トリエタノールアミン、構造（ＩＩＩ）：
0006409000.tif 000002
に従った複素環アルコール、ならびにそれらの混合物から選択される有機溶剤と、任意選択的に、（ｄ）水とを含む水性最終使用肥料組成物を、標的植物にまたは標的植物のための環境に適用する工程を含む、標的植物の施肥方法が本明細書に記載される。用語「複素環アルコール」は、ジオキソラン化合物を含むことが理解される。
【００２０】
一実施形態では、アルキルチオリン酸トリアミドは、Ｎ−（ｎ−ブチル）−チオリン酸トリアミドである。別の実施形態では、液体媒体は、（ａ）式（ＩＩＩ）：
0006409000.tif 000003
（式中、Ｒ６およびＲ７は個別に、水素、アルキル基、アルケニル基、またはフェニル基を含み、ｎは、１〜１０の整数である）の少なくとも１つのジオキソラン化合物と；ｂ）少なくとも１つの二塩基性エステルと；ｃ）式（ＩＩａ）：
Ｒ３ＯＯＣ−Ａ−ＣＯＮＲ４Ｒ５
（ＩＩａ）
（式中、Ｒ３は、Ｃ１〜Ｃ３６アルキル基を含み；Ｒ４およびＲ５は個別に、Ｃ１〜Ｃ３６アルキル基を含み、Ｒ４およびＲ５は任意選択的に一緒に環を形成することができ；Ａは、線状もしくは分岐の二価Ｃ２〜Ｃ６アルキル基である）の少なくとも１つの化合物と；ｄ）少なくとも１つのアルキルジメチルアミドと；ｅ）少なくとも１つのアルキルラクテートと；ｆ）レブリン酸エチルと；ｇ）少なくとも１つのアルコキシアルコール、エーテルアルコール、アミンアルコール、アミノアルコールもしくはアルコールと；ｈ）少なくとも１つのグリセリンもしくはグリセリン誘導体と；ｉ）少なくとも１つのアルキレンカーボネートと；ｊ）ジメチルスルホキシドと；ｋ）それらの任意の組み合わせとからなる群から選択される溶剤をさらに含む。一実施形態では、有機溶剤は、ジメチルスルホキシドである。
【００２１】
別の態様では、本発明は、極性の非プロトン性溶剤、二塩基性エステル、アミン、アミノアルコール、複素環アルコール、およびそれらの混合物から選択される有機溶剤を含む液体媒体中に溶解したジシアンジアミドを含む硝化阻害剤組成物に関する。
【００２２】
さらに別の態様では、本発明は、１つもしくは複数の窒素肥料化合物を、極性の非プロトン性溶剤、アミン溶剤、複素環アルコール溶剤、およびそれらの混合物から選択される有機溶剤を含む液体媒体中に溶解したジシアンジアミドを含む硝化阻害剤組成物で処理する工程を含む、固体のまたは濃厚な液肥組成物の製造方法に関する。
【００２３】
さらなる態様では、本発明は、組成物の１００重量部を基準として：
（ａ）約９９重量部以下の１つもしくは複数の窒素肥料化合物と、
（ｂ）ジシアンジアミドと、
（ｃ）極性の非プロトン性溶剤、アミン溶剤、複素環アルコール溶剤、およびそれらの混合物から選択される有機溶剤と、
（ｄ）水と
を含む濃厚な液肥組成物に関する。
【００２４】
別の態様では、本発明は、
（ａ）１つもしくは複数の窒素肥料化合物の固体粒子と、
（ｂ）固体粒子の少なくとも一部分上に担持されたジシアンジアミドと
を含む濃厚な固体肥料組成物に関する。
【００２５】
さらに別の態様では、本発明は、
（ａ）１つもしくは複数の窒素肥料化合物と、
（ｂ）極性の非プロトン性溶剤、アミン溶剤、複素環アルコール溶剤、およびそれらの混合物から選択される有機溶剤を含む液体媒体中に溶解したジシアンジアミドを含む硝化阻害剤組成物と
を水性媒体中に組み入れる工程を含む水性最終使用肥料組成物の製造方法に関する。
【００２６】
別の態様では、本発明は、組成物の１００重量部を基準として：
（ａ）約９９重量部以下の１つもしくは複数の窒素肥料化合物と、
（ｂ）ジシアンジアミドと、
（ｃ）極性の非プロトン性溶剤、アミン溶剤、複素環アルコール溶剤、およびそれらの混合物から選択される有機溶剤と、
（ｄ）水と
を含む水性最終使用肥料組成物に関する。
【００２７】
さらなる態様では、本発明は、
（ａ）１つもしくは複数の窒素肥料化合物と、
（ｂ）ジシアンジアミドと、
（ｃ）ジメチルスルホキシド、ジメチルホルムアミド、コハク酸のジメチルエステル、エチルコハク酸のジメチルエステル、グルタル酸のジメチルエステル、メチルグルタル酸のジメチルエステル、およびアジピン酸のジメチルエステル、ジエチレントリアミン、またはモノエタノールアミン、５−（ジメチルアミノ）−２−メチル−オキソペンタン酸メチル、ジメチルアミノエタノール、トリエタノールアミン、構造（ＩＩＩ）：
0006409000.tif 000004
に従った複素環アルコール、ならびにそれらの混合物から選択される有機溶剤と、
（ｄ）水と
を含む水性最終使用肥料組成物を、標的植物にまたは標的植物のための環境に適用する工程を含む、標的植物の施肥方法に関する。
【発明を実施するための形態】
【００２８】
本明細書で用いるところでは、用語「アルキル」は、メチル、エチル、ｎ−プロピル、イソ−プロピル、ｎ−ブチル、第二ブチル、ｔ−ブチル、ペンチル、ｎ−ヘキシル、およびシクロヘキシルを含むがそれらに限定されない、飽和の直鎖、分岐鎖、または環式炭化水素ラジカルを意味する。
【００２９】
本明細書で用いるところでは、用語「アリール」は、フェノキシ、フェニル、メチルフェニル、ジメチルフェニル、トリメチルフェニル、クロロフェニル、トリクロロメチルフェニル、アミノフェニル、およびトリスチリルフェニルを含むがそれらに限定されない、不飽和が３つの共役二重結合で表されてもよい、環の炭素の１つもしくは複数がヒドロキシ、アルキル、アルケニル、ハロ、ハロアルキル、またはアミノで置換されていてもよい、１つもしくは複数の６員炭素環を含有する一価の不飽和炭化水素ラジカルを意味する。
【００３０】
本明細書で用いるところでは、用語「アルキレン」は、例えば、メチレン、ジメチレン、トリメチレンなどの、二価の飽和の直鎖もしくは分岐鎖の炭化水素ラジカルを意味する。
【００３１】
本明細書で用いるところでは、有機基に関連して専門用語「（Ｃｒ〜Ｃｓ）」（式中、ｒおよびｓはそれぞれ整数である）は、この基が、基当たりｒ個の炭素原子〜ｓ個の炭素原子を含有してもよいことを示す。
【００３２】
ジシアンジアミドは、式（Ｉ）：
0006409000.tif 000005
に従う公知の化合物である。
【００３３】
「２−シアノグアニジン」としても知られる、ジシアンジアミドは典型的には、シアンアミドを塩基で処理することによって製造され、商業的に入手可能である。
【００３４】
一実施形態では、本発明による組成物は、Ｎ−（ｎ−ブチル）−チオリン酸トリアミド（「ＮＢＰＴ」）もしくはチオ硫酸アンモニウムなどの、ウレアーゼ阻害剤、硝化阻害剤、またはウレアーゼ阻害剤および硝化阻害剤の両方の組み合わせを含む。
【００３５】
一実施形態では、アルキルチオリン酸トリアミドは、Ｎ−（ｎ−ブチル）−チオリン酸トリアミドである。アルキルチオリン酸トリアミドもしくはジシアンジアミドの少なくとも１つまたはそれらの組み合わせは、組成物の５重量％のより低い範囲で組成物中に存在することができる。別の実施形態では、アルキルチオリン酸トリアミドおよび／またはジシアンジアミドの少なくとも１つは、組成物の重量で、６％、または８％、または１０％または１２％または１４％のより低い範囲で組成物中に存在することができる。別の実施形態では、アルキルチオリン酸トリアミドまたはジシアンジアミドの少なくとも１つは、組成物の約７重量％〜組成物の約１３重量％の量で組成物中に存在することができる。．別の実施形態では、アルキルチオリン酸トリアミドまたはジシアンジアミドの少なくとも１つは、組成物の約８重量％〜組成物の約１２重量％の量で組成物中に存在することができる。
【００３６】
アルキルチオリン酸トリアミドまたはジシアンジアミドの少なくとも１つは、組成物の約０．５重量％〜組成物の約５０重量％の量で組成物中に存在することができるかまたは、別の実施形態では、組成物の約１重量％〜組成物の約４０重量％の量で組成物中に存在することができ、別の実施形態では、組成物の約０．５重量％〜組成物の約２０重量％の量で組成物中に存在することができる。特定の一実施形態では、アルキルチオリン酸トリアミドまたはジシアンジアミドの少なくとも１つは、組成物の約１重量％〜組成物の約３０重量％の量で組成物中に存在する。アルキルチオリン酸トリアミドまたはジシアンジアミドの少なくとも１つは、アルキルチオリン酸トリアミドだけが存在することができるか、ジシアンジアミドだけが存在することができるか、またはアルキルチオリン酸トリアミドとジシアンジアミドとの組み合わせが存在することを意味する。
【００３７】
本発明の組成物および方法の有機溶剤成分として好適な化合物は、２０〜５０℃の温度で液体である、そして予想される製造、貯蔵、および使用条件下でジシアンジアミドと反応しない極性の非プロトン性溶剤、アミン溶剤、複素環アルコール溶剤、およびそれらの混合物である。一実施形態では、溶剤は、極性の非プロトン性溶剤、アミン溶剤、複素環アルコール溶剤、またはそれらの混合物を含み、ジシアンジアミドは、１リットル当たり５０グラム以上（ｇ／ｌ）、より典型的には２００ｇ／ｌ以上の２５℃でのそれへの溶解度を有する。
【００３８】
好適な極性の非プロトン性有機溶剤としては、例えば、ジクロロメタン、ジメチルアセトアミド、ジメチルホルムアミド、ジメチルスルホキシド、酢酸エチル、ヘキサメチルホスホルアミド、ジメチルスルホン、スルホラン、１，３−ジメチル−２−イミダゾイジノン、１，３−ジメチル−３，４，５，６−テトラヒドロ−２（１Ｈ）−ピリミドン、酢酸メチル、乳酸エチル、メチルピロリドン、テトラヒドロフラン、プロピレンカーボネート、および二塩基性エステル溶剤が挙げられる。
【００３９】
好適な二塩基性エステル溶剤としては、例えば、ジカルボン酸のジアルキルエステル、より典型的には、飽和の線状もしくは分岐の（Ｃ２〜Ｃ８）脂肪族カルボン酸のジ（Ｃ１〜Ｃ１２）アルキルエステルまたはそれらの混合物が挙げられる。一実施形態では、二塩基性エステル成分は、構造（ＩＩ）：
Ｒ１ＯＯＣ−Ａ−ＣＯＮＲ２Ｒ３  （ＩＩ）
［式中：
Ａは、二価の線状もしくは分岐の（Ｃ２〜Ｃ８）脂肪族基であり、
Ｒ１、Ｒ２、およびＲ３はそれぞれ独立して、（Ｃ１〜Ｃ１２）アルキル、（Ｃ１〜Ｃ１２）アリール、（Ｃ１〜Ｃ１２）アルカリールまたは（Ｃ１−Ｃ１２）アリールアルキルであり、Ｒ２およびＲ３はそれぞれ任意選択的に、１個もしくは複数個のヒドロキシル基で置換されていてもよい］
に従った１つもしくは複数の化合物を含む。
【００４０】
一実施形態では、本発明の組成物および方法の二塩基性エステル溶剤成分は、コハク酸のジメチルエステル、エチルコハク酸のジメチルエステル、グルタル酸のジメチルエステル、メチルグルタル酸のジメチルエステル、およびアジピン酸のジメチルエステル、ならびにそれらの混合物などの、飽和の線状もしくは分岐の（Ｃ４〜Ｃ６）脂肪族カルボン酸の１つもしくは複数のジメチルエステルを含む。一実施形態では、二塩基性エステル成分は、コハク酸のジメチルエステル、グルタル酸のジメチルエステル、および任意選択的に、アジピン酸のジメチルエステルを含む。別の実施形態では、二塩基性エステル成分は、エチルコハク酸のジメチルエステル、メチルグルタル酸のジメチルエステル、および任意選択的に、アジピン酸のジメチルエステルを含む。
【００４１】
一実施形態では、本発明の組成物および方法の二塩基性エステル溶剤成分は、コハク酸のジアルキルエステル、エチルコハク酸のジアルキルエステル、グルタル酸のジアルキルエステル、メチルグルタル酸のジアルキルエステル、およびアジピン酸のジアルキルエステル、ならびにそれらの混合物などの、飽和の線状もしくは分岐の（Ｃ４〜Ｃ６）脂肪族カルボン酸の１つもしくは複数のジアルキルエステルを含む。一実施形態では、二塩基性エステル成分は、コハク酸のジアルキルエステル、グルタル酸のジアルキルエステル、および任意選択的に、アジピン酸のジアルキルエステルを含む。別の実施形態では、二塩基性エステル成分は、エチルコハク酸のジアルキルジメチルエステル、メチルグルタル酸のジアルキルエステル、および任意選択的に、アジピン酸のジアルキルエステルを含む。ジアルキル基における各アルキル基、一実施形態は、Ｃ１〜Ｃ８アルキルを個別に含む。別の実施形態では、ジアルキル基における各アルキル基、一実施形態は、Ｃ１〜Ｃ４アルキルを個別に含む。別の実施形態では、ジアルキル基における各アルキル基、一実施形態は、Ｃ１〜Ｃ６アルキルを個別に含む。
【００４２】
好適なアミン溶剤としては、プロピルアミンなどの、モノアルキルアミンを含む、第一級アミン、ジメチルアミンおよびジフェニルアミンなどの、ジアルキルアミンおよびジアリールアミンを含む、第二級アミン、ならびにジエチレントリアミンおよび５−（ジメチルアミノ）−２−メチル−オキソペンタン酸メチルなどの、第三級アミンが挙げられる。
【００４３】
一実施形態では、本発明の組成物および方法のアミン溶剤成分は、１つもしくは複数のアミノ基以外のいかなる官能基も含まない脂肪族または芳香族の第一級、第二級、または第三級アミンから選択される。
【００４４】
一実施形態では、本発明の組成物および方法のアミン溶剤成分は、脂肪族または芳香族の第一級、第二級、または第三級アミンから選択され、１つもしくは複数のアミノ基以外に、ヒドロキシアルキル基、ヒドロキシル基、カルボニル基、またはアルキルエステル基などの、１つもしくは複数の追加の官能基を任意選択的にさらに含んでもよい。
【００４５】
一実施形態では、本発明の組成物および方法の有機溶剤成分は、アミノアルコールを含む。本発明の組成物および方法のアミノアルコール溶剤成分として好適な化合物は、１分子当たり少なくとも１つの第一級、第二級、または第三級アミノ部分と１分子当たり少なくとも１つのヒドロキシアルキル部分とを含むそれらの化合物であり、より典型的には一実施形態では、アミノアルコールは、モノエタノールアミン、エチルアミノエタノール、ジメチルアミノエタノール、イソプロピルアミノエタノール、ジエタノールアミン、トリエタノールアミン、メチルアミノエタノール、アミノプロパノール、メチルアミノプロパノール、ジメチルアミノプロパノール、アミノブタノール、ジメチルアミノブタノール、アミノブタンジオール、トリヒドロキシメチルアミノエタン、ジエチルアミノプロパンジオール、１−アミノ−シクロペンタンメタノール、およびアミノベンジルアルコールなどの、アミノ基で少なくとも１個の炭素原子上でおよびヒドロキシアルキルもしくはヒドロキシル基で少なくとも１個の他の炭素原子上で置換されている線状、分岐、もしくは環状の、飽和もしくは不飽和の炭化水素、またはメチルアミノメチル−１，３−ジオキソランなどの、少なくとも１個の窒素原子を環メンバーとして含むおよび／またはアミノ基で少なくとも１個の炭素原子上で置換されている、そしてヒドロキシアルキルもしくはヒドロキシル基で少なくとも１個の他の炭素原子上で置換されている複素環である。
【００４６】
好適な複素環アルコール溶剤としては、例えば、１もしくは２個の酸素原子を環メンバーとして含み、（Ｃ１〜Ｃ６）ヒドロキシアルキル基で環の少なくとも１個の炭素原子上で置換されており、そして１つもしくは複数の（Ｃ１〜Ｃ４）アルキル基で環の１つもしくは複数の炭素原子上で任意選択的に置換されていてもよい、５−もしくは６−員複素環が挙げられる。用語「複素環アルコール」は、ジオキソラン化合物を含むことが理解される。一実施形態では、本発明の複素環アルコール成分は、構造（ＩＩＩ）、（ＩＶ）、（Ｖ）、（ＶＩ）、および（ＶＩＩ）：
0006409000.tif 000006
（式中、ｎ＝１または２である）
0006409000.tif 000007
に従った複素環アルコールから選択される１つもしくは複数の化合物を含む。
【００４７】
一実施形態では、本発明の組成物および方法の有機溶剤成分は、１つもしくは複数の極性の非プロトン性溶剤、１つもしくは複数の構造（ＩＩ）に従った二塩基性エステル化合物、１つもしくは複数のアミノアルコール、１つもしくは複数の第三級アミン、構造（ＩＩＩ）に従った１つもしくは複数の複素環アルコール、またはそれらの混合物を含む。
【００４８】
一実施形態では、本発明の組成物および方法の有機溶剤成分は、ジメチルスルホキシド、ジメチルホルムアミド、コハク酸のジメチルエステル、エチルコハク酸のジメチルエステル、グルタル酸のジメチルエステル、メチルグルタル酸のジメチルエステル、およびアジピン酸のジメチルエステル、ジエチレントリアミン、もしくはモノエタノールアミン、５−（ジメチルアミノ）−２−メチル−オキソペンタン酸メチル、ジメチルアミノエタノール、トリエタノールアミン、構造（ＩＩＩ）に従った複素環アルコール、またはそれらの混合物を含む。
【００４９】
一実施形態では、本発明の組成物および方法の有機溶剤成分は、ジメチルスルホキシド、ジメチルホルムアミド、ジエチレントリアミン、モノエタノールアミン、またはそれらの混合物を含む。
【００５０】
一実施形態では、本発明の組成物および方法の有機溶剤成分は、ジメチルスルホキシドを含む。
【００５１】
一実施形態では、溶剤としてかまたは溶剤ブレンドの成分として利用される化合物は、一般式（ＩＩ）：
Ｒ３ＯＯＣ−Ａ−ＣＯＮＲ４Ｒ５
（ＩＩ）
の化合物である。
【００５２】
一実施形態によれば、表現「化合物」は、一般式（ＩＩ）に相当する任意の化合物を意味する。他の実施形態では、用語「化合物」はまた、一般式（ＩＩ）に相当するいくつかの分子の混合物を意味する。それはそれ故、式（ＩＩ）の分子または式（ＩＩ）のいくつかの分子の混合物であってもよく、ここで、両方とも、式（ＩＩ）に言及する場合に用語「化合物」の定義に入る。
【００５３】
Ｒ３、Ｒ４およびＲ５基は、ある実施形態では、同一であり得るしまたは、他の実施形態では、異なり得る。一実施形態では、Ｃ１〜Ｃ２０アルキル、アリール、アルカリールもしくはアリールアルキル基またはフェニル基から選択される基であってもよい。別の実施形態では、Ｃ１〜Ｃ１２アルキル、アリール、アルカリールもしくはアリールアルキル基またはフェニル基から選択される基であってもよい。とりわけＲｈｏｄｉａｓｏｌｖ（登録商標）ＰｏｌａｒＣｌｅａｎ（Ｃｒａｎｂｕｒｙ，ＮＪのＲｈｏｄｉａ  Ｉｎｃ．によって製造される）が挙げられる。Ｒ４およびＲ５基は、任意選択的に置換されていてもよい。特定の一実施形態では、これらの基は、ヒドロキシル基で置換されている。
【００５４】
一実施形態では、Ｒ３基は、メチル、エチル、プロピル、イソプロピル、ｎ−ブチル、イソブチル、ｎ−ペンチル、イソペンチル、イソアミル、ｎ−ヘキシル、シクロヘキシル、２−エチルブチル、ｎ−オクチル、イソオクチル、２−エチルヘキシル、トリデシル基から選択される。
【００５５】
同一であるかもしくは異なる、Ｒ４およびＲ５基は、一実施形態では、メチル、エチル、プロピル（ｎ−プロピル）、イソプロピル、ｎ−ブチル、イソブチル、ｎ−ペンチル、アミル、イソアミル、ヘキシル、シクロヘキシルまたはヒドロキシエチル基からとりわけ選択されてもよい。Ｒ４およびＲ５基はまた、それらが、窒素原子と一緒にモルホリン、ピペラジンまたはピペリジン基を形成するようなものであってもよい。ある実施形態によれば、Ｒ４およびＲ５はそれぞれメチルであるか、またはＲ４およびＲ５はそれぞれエチルであるか、またはＲ４およびＲ５はそれぞれヒドロキシエチルである。
【００５６】
一実施形態によれば、Ａが式−−ＣＨ２−−ＣＨ２−−のおよび／または式−−ＣＨ２−−ＣＨ２−−ＣＨ２−−ＣＨ２−−のおよび／または式−−（ＣＨ２）８−−の線状基を含む場合には、それはＡ基の混合物である。特定の一実施形態によれば、Ａが線状である場合には、それはＡ基の混合物、例えば、２つもしくは３つの−−ＣＨ２−−ＣＨ２−−（エチレン）；−−ＣＨ２−−ＣＨ２−−ＣＨ２−−（ｎ−プロピレン）；および−−ＣＨ２−−ＣＨ２−−ＣＨ２−−ＣＨ２−−（ｎ−ブチレン）基（またはそれらの異性体）の混合物である。
【００５７】
本発明の第１の特定の実施形態によれば、Ａ基は、次式：−−ＣＨ２−−ＣＨ２−−（エチレン）；−−ＣＨ２−−ＣＨ２−−ＣＨ２−−（ｎ−プロピレン）；−−ＣＨ２−−ＣＨ２−−ＣＨ２−−ＣＨ２−−（ｎ−ブチレン）、およびそれらの混合物の基から選択される二価の線状アルキル基である。
【００５８】
一実施形態では、本発明の阻害剤組成物は、組成物の１００重量部（「ｐｂｗ」）を基準として、
約４〜約４５ｐｂｗ、より典型的には約１０〜約４２ｐｂｗ、さらにより典型的には約２０〜約４０ｐｂｗのジシアンジアミドと、
約５５〜約９６ｐｂｗ、より典型的には約５８〜約９０ｐｂｗ、さらにより典型的には約６０〜約８０ｐｂｗの有機溶剤と
を含む。
【００５９】
一実施形態では、本発明の阻害剤組成物は、例えば、ＮＢＰＴまたはチオ硫酸アンモニウムなどの、１つもしくは複数のウレアーゼ阻害剤を含む。
【００６０】
窒素肥料化合物は、窒素肥料組成物を、本明細書に記載される阻害剤組成物（例えば、硝化阻害剤もしくはウレアーゼ阻害剤または両方の組み合わせ）と接触させることによって阻害剤組成物で処理される。窒素肥料組成物は、固体または液体形態にあってもよい。
【００６１】
好適な窒素肥料は、尿素、硝安、硫安、チオ硫酸アンモニウム、多硫化アンモニウム、リン酸アンモニウム、塩化アンモニウム、重炭酸アンモニウムなどの、硝酸塩、アンモニウム塩、またはそれらの混合物、無水アンモニア、硝酸カルシウム、硝酸ソーダ、カルシウムシアナミドなどの窒素化合物を含有するものである。一実施形態では、窒素肥料は、硝安を含む。好適な硝安含有肥料としては、例えば、ＵＡＮ  １８、ＵＡＮ  ２８、およびＵＡＮ  ３０が挙げられる。
【００６２】
一実施形態では、窒素肥料組成物は、固体粒子状物質形態にあり、窒素肥料組成物と阻害剤組成物との接触は、例えば、本発明の組成物を固体肥料組成物の粒子上に噴霧することによって行われる。
【００６３】
一実施形態では、本発明の濃厚な肥料組成物は、組成物の１００ｐｂｗを基準として、
約６０ｐｂｗ〜約９９．９９９、より典型的には約７０ｐｂｗ〜約９９．９９９、さらにより典型的には約８０ｐｂｗ〜約９９．９９９の１つもしくは複数の窒素肥料化合物の固体粒子と、
約０．００１〜約４０ｐｂｗ、より典型的には約０．００１〜約３０ｐｂｗ、さらにより典型的には約０．００１〜約２０ｐｂｗのジシアンジアミドと
を含む固体の硝化阻害肥料組成物である。
【００６４】
一実施形態では、本発明の固体の硝化阻害肥料組成物は、１つもしくは複数のウレアーゼ阻害剤、より典型的にはＮＢＰＴをさらに含む。
【００６５】
一実施形態では、本発明の最終使用肥料組成物は、本発明の阻害剤組成物を固体窒素肥料と組み合わせて固体の硝化阻害肥料組成物を形成し、その後、固体の硝化阻害肥料組成物の１ｐｂｗ当たり約５００ｐｂｗ以下、より典型的には１００〜５００ｐｂｗ、さらにより典型的には約１００〜約３００ｐｂｗの水性媒体の比で、固体の硝化阻害肥料組成物を水性媒体、典型的には水に溶解させることによって製造される。
【００６６】
一実施形態では、肥料化合物は液体形態にあり、肥料組成物と阻害剤組成物との接触は、阻害剤組成物を液肥組成物と混合することによって行われる。
【００６７】
一実施形態では、本発明の濃厚な肥料組成物は、組成物の１００ｐｂｗを基準として、
約２０〜約９９．９８９ｐｂｗ、より典型的には約３０〜約９９．９８５ｐｂｗ、さらにより典型的には約４０〜約９９．９８ｐｂｗの１つもしくは複数の窒素肥料化合物と、
約０．００１〜４０ｐｂｗ、より典型的には約０．００５〜３０ｐｂｗ、さらにより典型的には約０．０１〜２０ｐｂｗのジシアンジアミドと、
約０．０１〜６０ｐｂｗ、より典型的には約０．０１〜約４０ｐｂｗ、さらにより典型的には約０．０１〜約３０ｐｂｗの有機溶剤と
を含む濃厚な液体硝化阻害肥料組成物である。
【００６８】
一実施形態では、本発明の濃厚な液体硝化阻害肥料組成物はさらに、１つもしくは複数のウレアーゼ阻害剤、より典型的にはＮＢＰＴを含む。
【００６９】
一実施形態では、本発明の最終使用肥料組成物は、本発明の阻害剤組成物を濃厚な窒素肥料と組み合わせて濃厚な液体硝化阻害肥料組成物を形成し、その後、濃厚な液体硝化阻害肥料組成物を、濃厚な液体窒素肥料組成物の１ｐｂｗ当たり約５００ｐｂｗ以下の、より典型的には約１０〜約５００ｐｂｗ、さらにより典型的には約１００〜約３００ｐｂｗの比での水性媒体、典型的には水で希釈することによって製造される。
【００７０】
一実施形態では、本発明の最終使用肥料組成物は、本発明の阻害剤組成物と、固体のまたは濃厚な液体窒素肥料と、水性媒体とを組み合わせることによって製造される。
【００７１】
一実施形態では、本発明の最終使用肥料組成物は、水と、１つもしくは複数の窒素肥料化合物と、最終使用肥料組成物の１００ｐｂｗ当たり典型的には２×１０−６ｐｂｗ〜約４ｐｂｗのジシアンジアミドの量での、ジシアンジアミドとを含む水性液体組成物である。
【００７２】
一実施形態では、本発明の最終使用肥料組成物は、水と、組成物の１００重量部を基準として：
約０．０４〜約１０ｐｂｗ、より典型的には約０．０６〜約１０ｐｂｗ、さらにより典型的には約０．０８ｐｂｗ〜約１０ｐｂｗの１つもしくは複数の窒素肥料化合物と、
約２×１０−６〜約４ｐｂｗ、より典型的には約１×１０−５〜約３ｐｂｗ、さらにより典型的には約２×１０−４〜約２ｐｂｗのジシアンジアミドと、
約２×１０−４〜約６ｐｂｗ、より典型的には約２×１０−４〜約４ｐｂｗ、さらにより典型的には約２×１０−４〜約３ｐｂｗの有機溶剤と
を含む。
【００７３】
一実施形態では、本発明の最終使用肥料組成物は、１つもしくは複数のウレアーゼ阻害剤、より典型的にはＮＢＰＴを、単独でまたは硝化阻害剤と組み合わせて含む。
【００７４】
一実施形態では、本発明の最終使用肥料組成物は、１つもしくは複数の窒素肥料化合物の１００ｐｂｗ当たり約０．００１〜約５ｐｂｗ、より典型的には約０．０１〜約２ｐｂｗのジシアンジアミドを含む。
【００７５】
一実施形態では、最終使用肥料組成物は、地面の１００平方フィート当たり、約０．０１ポンド〜約５ポンドの肥料組成物、より典型的には約０．０５ポンド〜約２ポンドの肥料組成物の比率で、標的植物にまたは標的植物のための環境に、すなわち、その上でもしくはその中で標的植物が成長しつつあるもしくは成長させられる地面に適用される。
【００７６】
一実施形態では、最終使用肥料組成物は、地面の１００平方フィート当たり、約０．０１ポンド〜約５ポンドの肥料化合物、より典型的には約０．０５ポンド〜約２ポンドの肥料化合物の窒素肥料化合物の用量を提供するのに有効な比率で標的植物にまたは標的植物のための環境に適用される。
【００７７】
一実施形態では、最終使用肥料組成物は、地面の１０００平方フィート当たり、約０．０１ポンド〜約５ポンドのジシアンジアミド、より典型的には約０．０５ポンド〜約２ポンドのジシアンジアミドのジシアンジアミドの用量を提供するのに有効な比率で標的植物にまたは標的植物のための環境に適用される。
【００７８】
本発明の組成物は、ジシアンジアミドの取り扱いの改善された容易さ、改善された溶解度特性、有機溶剤の低毒性；良好な貯蔵特性、および水性窒素肥料調合物などの、水性組成物との優れた混和性を提供する。
【実施例】
【００７９】
実施例１
実施例１の組成物は、３０ｐｂｗのジシアンジアミド（「ＤＣＤ」）を７０ｐｂｗのジメチルスルホキシド（「ＤＭＳＯ」）中に溶解させることによって製造した。
【００８０】
３０ＤＣＤ／７０ＤＭＳＯ溶液の試料を、形成後直ちにおよび形成後３週間でＮＭＲ分光法によって分析し、各場合にＤＣＤとＤＭＳＯとの間に起こったいかなる反応の証拠もまったく含有しないことが分かった。
【００８１】
試料３０ＤＣＤ／７０ＤＭＳＯ溶液を−１６℃、４℃、ＲＴ、４５および５４℃で貯蔵し、凍結融解サイクリング（各最高最低温度で１２時間一時停止および最高最低温度間に８時間ランプありで、２５℃〜−１２℃間のサイクリング）にかけ、溶液の安定性を、それぞれの貯蔵条件下で１週間の貯蔵後、２週間の貯蔵後、および１ヶ月間の貯蔵後に評価し、それぞれの貯蔵条件下で安定であることが分かった。
【００８２】
ＵＡＮ  ２８、３２、および３４中の５重量％、１０重量％、および２０重量％の３０ＤＣＤ／７０ＤＭＳＯ溶液の試料を製造し、室温で２ヶ月間超安定であることが分かった。
【００８３】
実施例２、３、および４
実施例２の組成物は、７９ｐｂｗのモノエタノールアミン中に２１ｐｂｗのＤＣＤを溶解させることによって製造した。
【００８４】
実施例３の組成物は、５−（ジメチルアミノ）−２−メチル−オキソペンタン酸メチルと、９ｐｂｗのプロピレンカーボネートと、１７ｐｂｗの水との６２ｐｂｗの混合物中に１２ｐｂｗのＤＣＤを溶解させることによって製造した。
【００８５】
実施例４の組成物は、５５ｐｂｗのジメチルスルホキシド中に３０ｐｂｗのＤＣＤと１５ｐｂｗのＮ−（ｎ−ブチル）−チオリン酸トリアミドとを溶解させることによって製造した。
【００８６】
実施例２、３、および４の組成物のそれぞれを、形成後直ちにＮＭＲ分光法によって分析し、各場合にＤＣＤとそれぞれの有機溶剤系との間で起こったいかなる反応の証拠もないことが分かった。実施例２、３、および４の組成物のそれぞれは、室温で少なくとも１ヶ月間貯蔵後に安定であることが分かった。
【００８７】
実施例５
ＤＭＳＯ（５０重量％）中のＮＢＰＴ（混合物の重量で、５０重量％）試料を、−１６℃、４℃、２５℃、４５℃、５４℃での安定性試験にかけ、凍結融解サイクリング（各最高最低温度で１２時間の一時停止および最高最低温度間に８時間ランプありで、２５℃〜−１２℃間のサイクリング）にかけた。試料の安定性を２週間後に評価した。試料はより高い温度で黒っぽくなったが、試料はすべて、１相のままであることが観察された。